(57)【要約】      （修正有）【課題】天然または人工皮革の物品を開放し閉鎖するための装置を提供する。【解決手段】ハウジング４、係止部材およびラッチを含むメカニズムが具備された留め具ケーシング２およびアセンブリボタンからなる物品を開放／閉鎖するための装置において、ハウジング４が第１の位置にありボタンがケーシング２内に挿入されている場合、係止部材がボタンの並進運動を阻止し、ハウジング４が回転させられると、係止部材はボタンが解除されるまで移動し、ラッチはボタンがケーシング２から外に押し出されて係止部材が静止するまで駆動され、ボタンがケーシング２内に再度挿入された場合、このボタンはハウジング２を解除するラッチを押し、このハウジング２は回転させられ、係止部材は、ボタンが静止するまで移動される。【選択図】図２
2020176509.tif 000002
【特許請求の範囲】
【請求項１】
特に天然または人工皮革の物品を開放し閉鎖するための装置において、留め具ケーシング（２）および前記留め具ケーシングと協働するように構成されたアセンブリボタン（３）を含み、この留め具ケーシングには、前記物品を閉鎖し得る係止構成および前記物品を開放し得る係止解除構成を有するメカニズムが具備されている装置であって、前記メカニズムが、安定した第１の位置と第２の位置との間で前記留め具ケーシング（２）との関係において回転可能な形で組付けられたハウジング（４）と、前記留め具ケーシング（２）内に可動な形で組付けられ前記ハウジング（４）により駆動されるように構成された少なくとも１つの係止部材（６０；８２）と、前記留め具ケーシング（２）の並進運動との関係において可動な形で組付けられ前記ハウジング（４）と協働するように構成されたラッチ（４５）とを含み、前記メカニズムは：
前記ハウジング（４）がその安定した第１の位置にあり前記アセンブリボタン（３）が前記留め具ケーシング（２）内に挿入されている場合、前記少なくとも１つの係止部材（６０；８２）が少なくとも並進運動に対して前記アセンブリボタン（３）を不動化し；
前記ハウジング（４）が回転させられ、その安定した第１の位置からその第２の位置まで移行した場合、前記少なくとも１つの係止部材（６０；８２）は、前記アセンブリボタン（３）が解除されるまで変位させられ前記ラッチ（４５）は前記アセンブリボタン（３）が前記留め具ケーシング（２）から外に押し出されるまで前記留め具ケーシング（２）の内部で並進駆動され；
前記ハウジング（４）がその第２の位置にある場合、前記ラッチ（４５）が前記ハウジング（４）および前記少なくとも１つの係止部材（６０；８２）を不動化し；
前記アセンブリボタン（３）が前記留め具ケーシング（２）内に再度挿入された場合、前記アセンブリボタン（３）が、前記ハウジング（４）および前記少なくとも１つの係止部材（６０；８２）を解除する前記ラッチ（４５）を押し、前記ハウジング（４）が回転させられ、その第２の位置からその安定した第１の位置まで移行し、前記少なくとも１つの係止部材（６０；８２）は前記アセンブリボタン（３）が少なくとも並進運動に対して不動化されるまで変位される；
ように構成されていることを特徴とする装置。
【請求項２】
前記ハウジング（４）が複数の窓部（１９）を含み、前記メカニズムが、複数のチムニー（３４）を備えたハウジングプレート（７）を含み、これらのチムニーは、前記ハウジングプレート（７）の内側面（３３）から延在し、前記ハウジング（４）の前記窓部（１９）の中に収容され、前記チムニー（３４）は、前記ハウジング（４）が回転させられ、その安定した第１の位置からその第２の位置まで移行した場合またはその逆の場合に、前記窓部（１９）の内部を変位させられることを特徴とする、請求項１に記載の装置。
【請求項３】
前記メカニズムが、前記ハウジング（４）をその安定した第１の位置まで復帰させるように構成された第１の復帰部材（６４）を含み、前記第１の復帰部材が例えば引張ばねによって形成されていることを特徴とする、請求項２に記載の装置。
【請求項４】
前記ハウジング（４）が、相補的窓部（２０）、第１の取付けステム（２４）ならびに少なくとも部分的に円形の内側壁（２１）を含み、前記ハウジングプレート（７）には、前記ハウジングプレート（７）の内側面（３３）から突出し前記ハウジング（４）の前記相補的窓部（２０）内に収容される第２の取付けステム（３６）が具備され、前記第１の復帰部材（６４）が少なくとも部分的に前記ハウジング（４）の前記内側壁（２１）に沿って配置され、第１の端部により前記第１の取付けステム（２４）に対して機械的に連結されかつ前記第１の端部とは反対側の端部である第２の端部により前記取付けステム（３６）対して機械的に連結されていることを特徴とする、請求項３に記載の装置。
【請求項５】
前記ハウジング（４）が第１の取付けステム（２４）を含み、前記メカニズムが前記ハウジング内に収納されたリング（８１）を含み、前記リングには、第２の取付けステム（８４）が突出している少なくとも部分的に円形の壁ならびに前記ハウジングプレート（７）の前記チムニー（３４）が内部に収容される組付け用突起（８５）が具備されており、前記第１の復帰部材（６４）が少なくとも部分的に前記リング（８１）の前記壁に沿って配置され、第１の端部によって前記第１の取付けステム（２４）に対して機械的に連結され、前記第１の端部とは反対側の端部である第２の端部によって前記第２の取付けステム（８４）に対して機械的に連結されていることを特徴とする、請求項３に記載の装置。
【請求項６】
前記ハウジング（４）は、前記ハウジング（４）の外側面（２８）から前記ハウジングプレート（７）の前記内側面（３３）に向かって延在する複数の駆動ピン（２７）を含み、前記メカニズムが、このような係止部材を形成する複数のブレード（６０）を含み、前記ブレード（６０）が、前記ハウジングプレート（７）の前記チムニー（３４）上に枢動する形で組付けられ、これらのブレードには、前記ハウジング（４）の前記駆動ピン（２７）が内部に可動な形で挿入される切り欠き（６２）が具備されており、前記アセンブリボタン（３）が、円形溝（１４）を備えたフィンガ（１１）を含み、前記ハウジング（４）がその安定した第１の位置にある場合、前記ブレード（６０）は、少なくとも部分的に前記フィンガ（１１）の前記溝（１４）の中に収容され、こうして前記アセンブリボタン（３）を前記ハウジング（４）内に係止し、一方前記ハウジング（４）がその第２の位置にある場合、前記ブレード（６０）は前記ブレード（６０）の前記切り欠き（６２）内の前記ハウジング（４）の前記駆動ピン（２７）の作用によって前記ハウジングプレート（７）との関係において旋回させられ、前記ブレード（６０）は前記フィンガ（１１）の前記溝（１４）から一定の距離のところにあり、前記アセンブリボタン（３）は解除され得ることを特徴とする、請求項２ないし５のいずれか１項に記載の装置。
【請求項７】
前記ハウジング（４）が、中央貫通開口部（１８）、前記中央開口部（１８）内に突出しこのような前記係止部材を形成する歯（８２）を含み、前記アセンブリボタン（３）が、フィンガ（１１）を含み、このフィンガにはその自由端部（１５）に形成された平担部（８０）および円形溝（１４）が具備されており、前記ハウジング（４）がその安定した第１の位置にある場合、前記ハウジング（４）の前記歯（８２）は前記フィンガ（１１）の前記溝（１４）の中に少なくとも部分的に収容され、前記フィンガ（１１）の前記平担部（８０）が前記歯（８２）に対し実質的に直交して配置され、こうして前記ハウジング（４）内に前記アセンブリボタン（３）を係止しており、一方、前記ハウジング（４）がその第２の位置にある場合、前記平担部（８０）は前記歯（８２）と実質的に整列して、前記アセンブリボタン（３）は解除され得ることを特徴とする、請求項１ないし５のいずれか１項に記載の装置。
【請求項８】
前記アセンブリボタン（３）が、前記円形溝（１４）とは反対側の端部に前記フィンガ（１１）に対して機械的に連結されたフランジ（１２）を含むことを特徴とする、請求項６および７のいずれか１項に記載の装置。
【請求項９】
前記アセンブリボタン（３）を前記物品に連結するために、特に天然または人工皮革の前記物品の第１の部分を内部に間置させる目的で、前記フランジ（１２）と前記フィンガ（１１）の間に空間（１３）が提供されていることを特徴とする、請求項８に記載の装置。
【請求項１０】
前記メカニズムがさらに、カバー（５）を含み、このカバー（５）との関係において前記ハウジング（４）が回転でき、前記ラッチ（４５）が前記カバー（５）上に組付けられ、このカバーとの関係において回転結合され、前記ラッチ（４５）には少なくとも１つの保持部材が具備され、前記ハウジング（４）には、前記ハウジング（４）および前記少なくとも１つの係止部材（６０；８２）を不動化するために、前記ハウジング（４）がその第２の位置にある場合に前記ラッチ（４５）の前記少なくとも１つの保持部材と協働するように構成された少なくとも１つの相補的保持部材（２５）が具備されていることを特徴とする、請求項１ないし９のいずれか１項に記載の装置。
【請求項１１】
前記カバー（５）には、前記カバー（５）の内側面（３０）から延在する複数のチムニー（３１）が具備され、前記ラッチ（４５）が、前記カバー（５）の前記チムニー（３１）を収容して前記カバー（５）に対してこのチムニーを回転的に不動化する刻み目（４６）を内部に備えたプレートという全体的形状を有していることを特徴とする、請求項１０に記載の装置。
【請求項１２】
前記ラッチ（４５）には、前記少なくとも１つの保持部材を形成する少なくとも１つの陥凹（４７）が具備され、前記ハウジング（４）には、前記ハウジング（４）の内側面（２２）から突出し前記少なくとも１つの相補的保持部材を形成する少なくとも１つの突出部（２５）が具備されていることを特徴とする、請求項１０および１１のいずれか１項に記載の装置。
【請求項１３】
前記メカニズムは、前記ハウジング（４）の前記少なくとも１つの突出部（２５）が前記ラッチ（４５）の前記少なくとも１つの陥凹（４７）の縁部に当接するように構成されているか、または前記ハウジング（４）がその第２の位置にある場合には前記ラッチ（４５）の前記少なくとも１つの陥凹（４７）内に挿入されていることを特徴とする請求項１２に記載の装置。
【請求項１４】
前記ラッチにはさらに、前記ラッチ（４５）を形成するプレート内に具備された少なくとも１つの肩部（４８）が具備され、こうして、前記ハウジング（４）をその安定した第１の位置に漸進的に保持することを可能にするという意味において漸進的である少なくとも１つの前記陥凹（４７）を形成していることを特徴とする、請求項１２および１３のいずれか１項に記載の装置。
【請求項１５】
前記メカニズムはさらに、外側からの作用がない場合に前記ラッチ（４５）が前記ハウジング（４）により担持されるようにするべく構成された第２の復帰部材（６５）を含み、前記第２の復帰部材が、例えば圧縮ばねにより形成されていることを特徴とする、請求項１０ないし１４のいずれか１項に記載の装置。
【請求項１６】
前記カバー（５）には、その内側面（３０）内に形成され前記第２の復帰部材（６５）を部分的に収納する座部（３２）が具備されていることを特徴とする、請求項１５に記載の装置。
【請求項１７】
前記メカニズムが、前記カバー（５）の内側面（３０）に接して配置されたベースおよび前記第２の復帰部材（６５）が上に組付けられるステムを有する支持ピン（８８）を含み、前記メカニズムがさらに、前記支持ピン（８８）上に組付けられた前記第２の復帰部材（６５）が中に挿入される内部空間を備えかつ外側カラー（９０）を備えたスリーブ部材（８９）を含み、かつ前記ラッチ（４５）にはアパーチャ（８７）が具備され、前記ラッチは前記スリーブ部材（８９）上に組付けられ、前記スリーブ部材（８９）の前記外側カラー（９０）が、前記カバー（５）の前記内側面（３０）とは反対側に面した前記ラッチ（４５）の面（４９）に担持されることになることを特徴とする、請求項１５に記載の装置。
【請求項１８】
前記ハウジング（４）が、例えば締結ネジ（６７）を用いて、互いに機械的に連結されているハウジングプレート（７）とカバー（５）の間に回転可能な形で組付けられていることを特徴とする、請求項１ないし１７のいずれか１項に記載の装置。
【請求項１９】
前記メカニズムがハウジングプレート（７）を含み、このハウジングプレートとの関係において前記ハウジング（４）が回転でき、前記ハウジングプレート（７）には、少なくとも部分的に円形である低い壁（３９）が具備されており、前記留め具ケーシング（２）がさらに、前記ハウジングプレート（７）に対して機械的に連結され、前記低い壁（３９）に接して配置されて前記ハウジングプレート（７）とカウンタプレート（８）との間に空間（１０）を提供しているカウンタプレート（８）を含み、こうして特に天然または人工皮革の前記物品の第２の部分をこの空間内に間置して、前記留め具ケーシング（２）を前記物品に連結することを特徴とする、請求項１ないし１８のいずれか１項に記載の装置。
【請求項２０】
請求項１ないし１９のいずれか１項に記載の開閉装置（１）、前記開閉装置（１）のアセンブリボタン（３）が上に締結される第１の部分、および前記開閉装置（１）の留め具ケーシング（２）が上に締結される第２の部分を含む、特に天然または人工皮革の物品において、前記開閉装置（１）が、前記開閉装置（１）のメカニズムの係止構成では前記留め具ケーシング（２）内に前記アセンブリボタンを収容し不動化させ、かつ前記メカニズムの係止解除構成では前記留め具ケーシング（２）から前記アセンブリボタン（３）を解除するように構成されている、物品。
【発明の詳細な説明】
【技術分野】
【０００１】
本発明は、より一般的には留め具とも呼ばれる、特に天然または人工皮革の物品を開放し閉鎖するための装置に関する。
【０００２】
本発明は同様に、このような開閉装置が具備された特に天然または人工皮革の物品にも関する。
【背景技術】
【０００３】
キーおよびシリンダが備わり、キーをシリンダ内に挿入してそれを回転駆動することによって装置の係止および係止解除ひいては物品の開放および閉鎖を可能にする、特に天然または人工皮革の物品を開放および閉鎖するための装置が公知である。これらの装置は多くの場合、錠と呼ばれる。
【０００４】
同様に、安定している第１の位置と第２の位置の間で回転できるハウジングを含むケーシングが代りに具備された、特に天然または人工皮革の物品を開放し閉鎖するための装置も公知である。ケーシング内に挿入されハウジングがその第２の位置に入った場合にこのケーシングから引出されるように、直訳すると「リンクボタン」であるフランス語の「ｔｉｂｉ」とも呼ばれるアセンブリボタンが具備されている。これらの装置は留め具と呼ばれることが多い。ハウジングがその安定した第１の位置にあり、リンクボタンがケーシング内に挿入された場合、留め具は閉鎖され；一方、ハウジングがその安定した第１の位置にあり、リンクボタンがケーシングから引出された場合、留め具は開放しており、ケーシング内へのリンクボタンの挿入は不可能である。
【発明の概要】
【発明が解決しようとする課題】
【０００５】
本発明は、製造および使用の両方に関して極めて簡単かつ便利である、キーもシリンダも伴わない留め具タイプの、特に天然または人工皮革の物品を開放し閉鎖するための装置を提供することに向けられている。
【課題を解決するための手段】
【０００６】
したがって、第１の態様によると、本発明は、特に天然または人工皮革の物品を開放し閉鎖するための装置において、留め具ケーシングおよび前記留め具ケーシングと協働するように構成されたアセンブリボタンを含み、この留め具ケーシングには、前記物品を閉鎖し得る係止構成および前記物品を開放し得る係止解除構成を有するメカニズムが具備されている装置であって、前記メカニズムが、安定した第１の位置と第２の位置との間で前記留め具ケーシングとの関係において回転可能な形で組付けられたハウジングと、前記留め具ケーシング内に可動な形で組付けられ前記ハウジングにより駆動されるように構成された少なくとも１つの係止部材と、前記留め具ケーシングの並進運動との関係において可動な形で組付けられ前記ハウジングと協働するように構成されたラッチとを含み；前記メカニズムは：
前記ハウジングがその安定した第１の位置にあり前記アセンブリボタンが前記留め具ケーシング内に挿入されている場合、前記少なくとも１つの係止部材が少なくとも並進運動に対して前記アセンブリボタンを不動化し；
前記ハウジングが回転させられ、その安定した第１の位置からその第２の位置まで移行した場合、前記少なくとも１つの係止部材は、前記アセンブリボタンが解除されるまで変位させられ前記ラッチは前記アセンブリボタンが前記留め具ケーシングから外に押し出されるまで前記留め具ケーシングの内部で並進駆動され；
前記ハウジングがその第２の位置にある場合、前記ラッチが前記ハウジングおよび前記少なくとも１つの係止部材を不動化し；
前記アセンブリボタンが前記留め具ケーシング内に再度挿入された場合、前記アセンブリボタンが、前記ハウジングおよび前記少なくとも１つの係止部材を解除する前記ラッチを押し、前記ハウジングが回転させられ、その第２の位置からその安定した第１の位置まで移行し、前記少なくとも１つの係止部材は前記アセンブリボタンが少なくとも並進運動に対して不動化されるまで変位される；
ように構成されていることを特徴とする装置に関する。
【０００７】
本発明に係る開閉装置は、アセンブリボタンがラッチの作用により留め具ケーシングから自動的に解除され、こうしてメカニズムが係合解除位置になることから、ハウジングを回転させることによって簡単に物品を開放できるという点において極めて便利である。
【０００８】
さらに、本発明に係る開閉装置は、ハウジングに作用することなく留め具ケーシング内にアセンブリボタンを挿入することによって簡単に物品を閉鎖できるという点において極めて便利である。
【０００９】
実際、ハウジングがその安定した第１の位置から第２の位置まで回転駆動された場合のラッチの並進運動は、アセンブリボタンを容易に引出しかつ／または挿入できる第２の位置にハウジングを維持することを可能にする。さらに、ハウジングは、アセンブリボタンを解除する位置に係止部材を駆動することから、係止部材はその位置にとどまり、アセンブリボタンは容易に引出しおよび／または挿入可能である。
【００１０】
本発明に係る開閉装置の極めて単純で便利でかつ経済的な特徴を、以下に提示する。
【００１１】
前記ハウジングは複数の窓部を含み、前記メカニズムは、複数のチムニーを備えたハウジングプレートを含み、これらのチムニーは、前記ハウジングプレートの内側面から延在し、前記ハウジングの前記窓部の中に収容され、前記チムニーは、前記ハウジングが回転させられ、その安定した第１の位置からその第２の位置まで移行した場合またはその逆の場合に、前記窓部の内部を変位させられる。
【００１２】
前記メカニズムは、前記ハウジングをその安定した第１の位置まで復帰させるように構成された第１の復帰部材を含み、前記第１の復帰部材は、例えば引張ばねによって形成されている。
【００１３】
前記ハウジングは、相補的窓部、第１の取付けステムならびに少なくとも部分的に円形の内側壁を含み、前記ハウジングプレートには、前記ハウジングプレートの内側面から突出し前記ハウジングの前記相補的窓部内に収容される第２の取付けステムが具備され、前記第１の復帰部材は、少なくとも部分的に前記ハウジングの前記内側壁に沿って配置され、第１の端部により前記第１の取付けステムに対して機械的に連結されかつ前記第１の端部とは反対側の端部である第２の端部により前記取付けステム対して機械的に連結されている。
【００１４】
前記ハウジングは第１の取付けステムを含み、前記メカニズムは前記ハウジング内に収納されたリングを含み、前記リングには、第２の取付けステムが突出している少なくとも部分的に円形の壁ならびに前記ハウジングプレートの前記チムニーが内部に収容される組付け用突起が具備されており、前記第１の復帰部材は、少なくとも部分的に前記リングの前記壁に沿って配置され、第１の端部によって前記第１の取付けステムに対して機械的に連結され、前記第１の端部とは反対側の端部である第２の端部によって前記第２の取付けステムに対して機械的に連結されている。
【００１５】
前記ハウジングは、前記ハウジングの外側面から前記ハウジングプレートの前記内側面に向かって延在する複数の駆動ピンを含み、前記メカニズムは、このような係止部材を形成する複数のブレードを含み、前記ブレードは、前記ハウジングプレートの前記チムニー上に枢動する形で組付けられ、これらのブレードには、前記ハウジングの前記駆動ピンが内部に可動な形で挿入される切り欠きが具備されており、前記アセンブリボタンは、円形溝を備えたフィンガを含み、前記ハウジングがその安定した第１の位置にある場合、前記ブレードは、少なくとも部分的に前記フィンガの前記溝の中に収容され、こうして前記アセンブリボタンを前記ハウジング内に係止し、一方前記ハウジングがその第２の位置にある場合、前記ブレードは前記ブレードの前記切り欠き内の前記ハウジングの前記駆動ピンの作用によって前記ハウジングプレートとの関係において旋回し、前記ブレードは前記フィンガの前記溝から一定の距離のところにあり、前記アセンブリボタンは解除され得る。
【００１６】
前記ハウジングは、中央貫通開口部、前記中央開口部内に突出しこのような前記係止部材を形成する歯を含み、前記アセンブリボタンは、フィンガを含み、このフィンガにはその自由端部に形成された平担部および円形溝が具備されており、前記ハウジングがその安定した第１の位置にある場合、前記ハウジングの前記歯は前記フィンガの前記溝の中に少なくとも部分的に収容され、前記フィンガの前記平担部は、前記歯に対し実質的に直交して配置され、こうして前記ハウジング内に前記アセンブリボタンを係止しており、一方、前記ハウジングがその第２の位置にある場合、前記平担部は前記歯と実質的に整列され、前記アセンブリボタンは解除され得る。
【００１７】
前記アセンブリボタンは、前記円形溝とは反対側の端部に前記フィンガに対して機械的に連結されたフランジを含む。
【００１８】
前記アセンブリボタンを前記物品に連結するために、特に天然または人工皮革の前記物品の第１の部分を内部に間置させる目的で、前記フランジと前記フィンガの間に空間が提供されている。
【００１９】
前記メカニズムはさらに、カバーを含み、このカバーとの関係において前記ハウジングが回転でき、前記ラッチは前記カバー上に組付けられ、このカバーとの関係において回転結合され、前記ラッチには少なくとも１つの保持部材が具備され、前記ハウジングには、前記ハウジングおよび前記少なくとも１つの係止部材を不動化するために、前記ハウジングがその第２の位置にある場合に前記ラッチの前記少なくとも１つの保持部材と協働するように構成された少なくとも１つの相補的保持部材が具備されている。
【００２０】
前記カバーには、前記カバーの内側面から延在する複数のチムニーが具備され、前記ラッチは、前記カバーの前記チムニーを収容して前記カバーに対してこのチムニーを回転的に不動化する刻み目を内部に備えたプレートという全体的形状を有している。
【００２１】
前記ラッチには、前記少なくとも１つの保持部材を形成する少なくとも１つの陥凹が具備され、前記ハウジングには、前記ハウジングの内側面から突出し前記少なくとも１つの相補的保持部材を形成する少なくとも１つの突出部が具備されていることを特徴とする。
【００２２】
前記メカニズムは、前記ハウジングの前記少なくとも１つの突出部が前記ラッチの前記少なくとも１つの陥凹の縁部に当接するように構成されているか、または前記ハウジングがその第２の位置にある場合には前記ラッチの前記少なくとも１つの陥凹内に挿入されている。
【００２３】
前記ラッチにはさらに、漸進的である少なくとも１つの前記陥凹を形成する少なくとも１つの肩部が具備されている。
【００２４】
前記メカニズムはさらに、外側からの作用がない場合に前記ラッチが前記ハウジングにより担持されるようにするべく構成された第２の復帰部材を含み、前記第２の復帰部材は、例えば圧縮ばねにより形成されている。
【００２５】
前記カバーには、その内側面内に形成され前記第２の復帰部材を部分的に収納する座部が具備されている。
【００２６】
前記メカニズムは、前記カバーの内側面に接して配置されたベースおよび前記第２の復帰部材が上に組付けられるステムを有する支持ピンを含み、前記メカニズムはさらに、前記支持ピン上に組付けられた前記第２の復帰部材が中に挿入される内部空間を備え、同様に外側カラーも備えたスリーブ部材を含み、かつ前記ラッチにはアパーチャが具備され、前記ラッチは前記スリーブ部材上に組付けられ、前記スリーブ部材の前記外側カラーは、前記カバーの前記内側面とは反対側に面した前記ラッチの面に担持されることになる。
【００２７】
前記ハウジングは、例えば締結ネジを用いて、互いに機械的に連結されているハウジングプレートとカバーの間に回転可能な形で組付けられている。
【００２８】
前記メカニズムはハウジングプレートを含み、このハウジングプレートとの関係において前記ハウジングが回転でき、前記ハウジングプレートには、少なくとも部分的に円形である低い壁が具備されており、前記留め具ケーシングはさらに、前記ハウジングプレートに対して機械的に連結され、前記低い壁に接して配置されて前記ハウジングプレートとカウンタプレートとの間に空間を提供しているカウンタプレートを含み、こうして特に天然または人工皮革の前記物品の第２の部分をこの空間内に間置して、前記留め具ケーシングを前記物品に連結する。
【００２９】
第２の態様によると、本発明は同様に、上述の通りの開閉装置、前記開閉装置のアセンブリボタンが上に締結される第１の部分、および前記開閉装置の留め具ケーシングが上に締結される第２の部分を含む、特に天然または人工皮革の物品において、前記開閉装置が、前記開閉装置のメカニズムの係止構成では前記留め具ケーシング内に前記アセンブリボタンを収容し不動化させ、かつ前記メカニズムの係止解除構成では前記留め具ケーシングから前記アセンブリボタンを解除するように構成されている、物品にも関する。
【図面の簡単な説明】
【００３０】
ここで、添付図面を参照しながら非限定的な例示的例として以下に記す実施形態の説明によって、本発明の開示を続行する。
【００３１】
【図１】部分的にのみ示した天然または人工皮革の物品の第１の部分に締結された留め具ケーシングと、同じく部分的にのみ示した天然または人工皮革の前記物品の第２の部分に締結されたアセンブリボタンとを有する本発明に係る開閉装置の、アセンブリボタンが解除され留め具ケーシングから一定の距離のところにある係止解除構成における概略的斜視図である。
【図２】アセンブリボタンが留め具ケーシング内に挿入されている係止構成における開閉装置を示す、図１に類似する図である。
【図３】図１および２の開閉装置の概略的分解組立斜視図である。
【図４】図１および２の開閉装置の概略的分解組立斜視図である。
【図５】開閉装置のラッチの概略的斜視図である。
【図６】開閉装置のハウジングの概略的分解組立斜視図である。
【図７】開閉装置のハウジングの概略的前面図である。
【図８】開閉装置のブレードの概略的前面図である。
【図９】開閉装置のハウジングプレートの概略的側面図である。
【図１０】係止構成における、留め具ケーシングのカバーが除去された状態での開閉装置の前面図である。
【図１０Ａ】図１０中でＡ−Ａとマーキングされた断面図である。
【図１０Ｂ】図１０Ａ中でＢ−Ｂとマーキングされた断面図である。
【図１１】開閉装置の係止構成からその係止解除構成への移行を示す、図１０に類似した図である。
【図１１Ａ】開閉装置の係止構成からその係止解除構成への移行を示す、図１０Ａに類似した図である。
【図１１Ｂ】開閉装置の係止構成からその係止解除構成への移行を示す、図１０Ｂに類似した図である。
【図１２】係止解除構成における開閉装置を示す、図１１に類似した図である。
【図１２Ａ】係止解除構成における開閉装置を示す、図１１Ａに類似した図である。
【図１２Ｂ】係止解除構成における開閉装置を示す、図１１Ｂに類似した図である。
【図１３】開閉装置の係止解除構成からその係止構成への移行を示す、図１２に類似した図である。
【図１３Ａ】開閉装置の係止解除構成からその係止構成への移行を示す、図１２Ａに類似した図である。
【図１３Ｂ】開閉装置の係止解除構成からその係止構成への移行を示す、図１２Ｂに類似した図である。
【図１４】係止解除構成における、開閉装置の一変形形態の斜視図である。
【図１５】係止構成における、開閉装置の一変形形態の斜視図である。
【図１６】開閉装置の変形形態についての、図３と類似の分解組立斜視図である。
【図１７】開閉装置の変形形態についての、図４と類似の分解組立斜視図である。
【図１８】係止構成における開閉装置の変形形態を示す、図１０と類似の図である。
【図１８Ａ】係止構成における開閉装置の変形形態を示す、図１０Ａと類似の図である。
【図１８Ｂ】係止構成における開閉装置の変形形態を示す、図１０Ｂと類似の図である。
【図１９】開閉装置の変形形態の係止構成からその係止解除構成への移行を示す、図１１に類似した図である。
【図１９Ａ】開閉装置の変形形態の係止構成からその係止解除構成への移行を示す、図１１Ａに類似した図である。
【図１９Ｂ】開閉装置の変形形態の係止構成からその係止解除構成への移行を示す、図１１Ｂに類似した図である。
【図２０】係止解除構成における開閉装置の変形形態を示す、図１２に類似した図である。
【図２０Ａ】係止解除構成における開閉装置の変形形態を示す、図１２Ａに類似した図である。
【図２０Ｂ】係止解除構成における開閉装置の変形形態を示す、図１２Ｂに類似した図である。
【発明を実施するための形態】
【００３２】
図１および２は、天然または人工皮革の物品（図示せず）のための、留め具とも呼ばれる開閉装置１を例示する。
【００３３】
天然または人工皮革の物品は例えば、第１の部分つまり本体を含むことができ、この第１の部分に対して物品の第２の部分つまりフラップを第１の端部（図示せず）によって取付けることができる。
【００３４】
以下留め具と呼ぶ開閉装置１は、留め具ケーシング２およびこの留め具ケーシング２と協働するように構成されたアセンブリボタン３を含む。
【００３５】
例えば、アセンブリボタン３は、物品の第１の部分つまり本体に連結され得、一方留め具ケーシング２は物品の第２の部分つまりフラップに連結され得る。
【００３６】
留め具ケーシング２には、物品が閉鎖され得る係止構成および物品が開放状態にあり得る係止解除構成を有するメカニズムが具備されている。
【００３７】
留め具ケーシング２のメカニズムの係止解除構成は、図１に見ることができ、この図ではアセンブリボタン３は留め具ケーシング２から一定の距離のところにあり、一方留め具ケーシング２のメカニズムの係止構成は図２に見ることができるが、この図では、アセンブリボタン３は、部分的に留め具ケーシング２内に挿入されていることから見えない。
【００３８】
詳細には、留め具ケーシング２のメカニズムは、メカニズムが係止構成にある安定した第１の位置（図２）とメカニズムが係止解除構成にある第２の位置（図１）との間で、留め具ケーシング２との関係において回転可能な形で組付けされたハウジング４を含む。
【００３９】
ハウジング４は、留め具ケーシングの第１の側６に位置設定されたメカニズムのカバー５と、第１の側６とは反対の側である留め具ケーシング２の第２の側９に位置設定されたメカニズムのハウジングプレート７との間に、可動な形で組付けられる。
【００４０】
ハウジング４は、カバー５とハウジングプレート７の間に間置され、その安定した第１の位置とその第２の位置の間で、これらカバーとハウジングプレートとの関係において回転することができる。
【００４１】
留め具ケーシング２には、第２の側９の上に位置設定されハウジングプレート７に機械的に連結されたカウンタプレート８が具備され、一方でハウジングプレート７とカウンタプレート７の間には、例えば物品の第２の部分つまりフラップを内部に間置してこの物品に留め具ケーシング２を連結するための空間１０が残される。
【００４２】
アセンブリボタン３は、フィンガ１１とこのフィンガ１１に機械的に連結されたフランジ１２を含み、一方でフランジ１２とフィンガ１１の間には、例えば物品の第１の部分つまり本体を内部に間置してこの物品にアセンブリボタン３を連結するための空間１３が残される。
【００４３】
アセンブリボタン３には、フランジ１２から離れた反対側の場所に、フィンガ１１の自由端部１５近くに形成された円形溝１４が具備されている。換言すると、フランジ１２は、円形溝１４の反対側の端部でフィンガ１１に対し機械的に連結されている。
【００４４】
開閉装置１はここでは、アセンブリボタン３が、留め具ケーシング２の第２の側９により、すなわちカバー５から離れた反対側の場所で、ハウジングプレート７およびカウンタプレート８が位置設定されている側から、留め具ケーシング２内に挿入されこの留め具ケーシング２から引出されるような形で構成されている。
【００４５】
ここで図２〜９を参照しながら、留め具ケーシング２およびアセンブリボタン３についてさらに詳細に説明する。
【００４６】
留め具ケーシング２のハウジング４は、実質的に車輪リムの形状を有し、外部円筒壁１６およびこの外側円筒壁１６の内側に延在する主壁１７を有する。
【００４７】
ハウジング４は、主壁１７の中に具備された中央貫通開口部１８を含む。
【００４８】
ハウジング４は、中央開口部１８の周りで主壁１７内に具備された複数の窓部１９を含む。
【００４９】
ハウジングの中央開口部１８は、アセンブリボタン３のフィンガ１１の通過を可能にする。
【００５０】
ハウジング４は、主壁１７内に具備され、実質的に窓部１９と外側円筒壁１６の間に位置設定された相補的窓部２０を含む。
【００５１】
ハウジング４は、少なくとも部分的に円形であり主壁１７の内側面２２から延在する内側壁２１を含む。
【００５２】
内側壁２１はここでは、実質的に同心的に、かつ窓部１９の周囲で外側円筒壁１６から一定の距離のところに延在する。
【００５３】
したがって、相補的窓部２０は、内側壁２１と外側円筒壁１６との間に位置設定される。
【００５４】
内側壁２１の中には間隙２３が具備され、ハウジング４は間隙２３の反対側に位置設定された第１の取付けステム２４を含む。
【００５５】
第１の取付けステム２４は、主壁１７の内側面２２から、外側円筒壁１６の近くに延在する。
【００５６】
したがって、第１の取付けステム２４は同様に、相補的窓部２０の近くに位置設定され得る。
【００５７】
ここでハウジング４は、ここでは主壁１７内に形成されている相補的保持部材と呼ばれる複数の保持部材を含む。
【００５８】
説明されている実施例において、ハウジング４の相補的保持部材は、主壁１７の内側面２２から突出する突出部２５によって形成される。
【００５９】
各突出部２５は、２つの連続する窓部１９の間に位置設定され、部分的に円形の内側壁２１に接合され得る。
【００６０】
ハウジング４はさらに、外側円筒壁１６内で、主壁１７および留め具ケーシング２の第１の側６の内側面２２と同じ側に具備されかつカバー５のための座面を形成する目的で具備された第１の肩部２６を有する。
【００６１】
ハウジングは同様に、主壁１７の外側面２８から延在する１つ以上の駆動ピン２７を含む。
【００６２】
説明された実施例において、各々の駆動ピン２７は２つの連続する窓部１９の間に位置設定され、こうして、実質的に突出部２５から離れた反対側の場所、すなわち主壁１７から他方の側に位置し得る。
【００６３】
ハウジング４はさらに、主壁１７および留め具ケーシング２の第２の側９の外側面２８と同じ側で外側円筒壁１６内に具備されかつハウジングプレート７のための座面を形成するために具備された第２の肩部２９を有する。
【００６４】
留め具ケーシング２のカバー５は、複数の第１のチムニー３１が突出している内側面３０、ならびにその内側面３０内に具備された座面３２を有する。
【００６５】
カバー５の第１のチムニー３１はここでは、ねじ穴を有し、座面３２の周りに規則的に分布していてよい。
【００６６】
留め具ケーシング２のハウジングプレート７は、ハウジング４の窓部１９内に収容されるように構成されている複数の第２のチムニー３４が突出している内側面３３を有する。
【００６７】
ハウジングプレート７は、中央貫通開口部３５を有し、この周りに第２のチムニー３４が規則的に分布し得る。
【００６８】
ハウジングプレート７の中央開口部３５は、アセンブリボタン３のフィンガ１１の通過を可能にする。
【００６９】
ハウジングプレート７の第２のチムニー３４は、ここでは、第１のアパーチャ４０の場所で、内側面３３とは反対側の面であるハウジングプレート７の外側面３７の上に開放したねじ穴を有する。
【００７０】
ハウジングプレート７は、ハウジングプレートの内側面３３から突出し、例えばここではハウジングプレート７の周縁近傍に位置設定されている第２の取付けステム３６を含む。
【００７１】
第２の取付けステム３６は、ハウジング４の相補的窓部２０の中に収容されるように構成されている。
【００７２】
ハウジングプレート７はさらに、少なくとも部分的に円形でハウジングプレート７の外側面３７から突出する低い壁３９を含む。低い壁３９は例えば、ここでは中央開口部３５の周りに延在する。
【００７３】
ハウジングプレート７はさらに、外側面３７から突出し、例えば低い壁３９の周りに規則的に分布し得る第３のチムニー３８を含む。
【００７４】
ハウジングプレート７の第３のチムニー３８は、ここで内側面３３上に開放するねじ穴を有する。
【００７５】
第１のアパーチャ４０は例えば、ここでは低い壁３９の周りで、第３のチムニー３８の間に規則的に分布していることが指摘される。
【００７６】
カウンタプレート８は、ハウジングプレート７に対して機械的に連結されるように構成され、ハウジングプレート７とカウンタプレート８の間に空間１０を提供するべく低い壁３９に接して配置されるように具備された内側面４１を有する。
【００７７】
カウンタプレート８は、内側面４１上およびカウンタプレート８の内側面４１とは反対側の面である外側面４３上の両方に開放する中央開口部４２を有する。
【００７８】
カウンタプレート８の中央開口部４２は、アセンブリボタン３のフィンガ１１の通過を可能にする。
【００７９】
カウンタプレート８は、カウンタプレート８の内側および外側面４１および４３の両方の上に開放する第２のアパーチャ４４を有している。
【００８０】
カウンタプレート８のこれらの第２のアパーチャ４４は例えば、ここではこのカウンタプレート８の中央開口部４２の周りに規則的に分布している。
【００８１】
メカニズムには、留め具ケーシング２内での並進運動に対して可動な形で組付けられ、ハウジング４と協働するように構成されたラッチ４５が具備される。
【００８２】
ラッチ４５は、カバー５に対してラッチ４５を回転的に不動化する目的で、カバーの第１のチムニー３１を収容するように構成された刻み目が内部に具備されているプレートという全体的形状を有する。
【００８３】
例えばここでは刻み目４６は、それぞれの第１のチムニー３１のそれぞれの区分を収容するため、実質的に丸い底部を有する。
【００８４】
したがって、ラッチ４５はカバー５上に組付けられ、このカバー５に対し回転結合される。
【００８５】
ラッチ４５には、ハウジング４がその第２の位置にある場合このハウジング４の突出部２５と協働するように構成されている、ここでは陥凹４７によって形成される１つ以上の保持部材が具備されている。
【００８６】
ラッチ４５にはさらに、漸進的な陥凹４７を形成する目的で、ラッチ４５を形成するプレートの中に形成された肩部４８が具備されている。
【００８７】
詳細には、留め具ケーシング２のメカニズムはここでは、ハウジング４の突出部２５がラッチ４５のそれぞれの陥凹４７の縁部に当接することになるように構成されている。
【００８８】
こうして、ハウジング４をその安定した第１の位置に漸進的に保持することが可能になる。
【００８９】
留め具ケーシング２のメカニズムには同様に、留め具ケーシング２内に可動な形で組付けられハウジング４によって駆動されるように構成されている１つ以上の係止部材も具備される。
【００９０】
これらの係止部材は、実質的にフックの形を有しハウジングプレート７の第２のチムニー３４上のブレード６０各々の旋回組付けのための第３のアパーチャ６１が各々に具備されているブレード６０によって形成されている。
【００９１】
ブレード６０には各々細長い形状を有する切欠き６２が具備されており、ハウジング４のそれぞれの駆動ピン２７がこの切欠きの内部に可動な形で収容されるように構成されている。
【００９２】
ブレード６０はさらに各々、ハウジング４がその安定した第１の位置にある場合にアセンブリボタン３のフィンガ１１の溝１４の中に少なくとも部分的に収容されるように具備された湾曲した断面６３を有する輪郭を有する
【００９３】
留め具ケーシング２のメカニズムにはさらに、例えば引張ばねによって形成される第１の復帰部材６４および、例えばここでは圧縮ばねによって形成される第２の復帰部材６５が具備されている。
【００９４】
第１の復帰部材６４は実質的に半円形の形状を有し、この第１の復帰部材６４の第１および第２の相対する端部には取付け点６６が具備されている。
【００９５】
第１の復帰部材６４はハウジング４内で円筒形外側壁１６と半円形内側壁２１の間に収容され、第１の復帰部材６４の取付け点の１つによってハウジング４の第１の取付けステム２４に対してと同時に第１の復帰部材６４の取付け点のうちのもう一方によってハウジングプレート７の第２の取付けステム３６に対して機械的に連結されている。
【００９６】
第２の復帰部材６５は、外側からの作用がない場合、ラッチ４５がハウジング４によって担持されるように構成されている。
【００９７】
詳細には、第２の復帰部材６５は、カバー５内に具備された座面３２の中に部分的に収容され、ラッチ４５の外側面４９により担持されることになる。
【００９８】
留め具ケーシング２のメカニズムは同様に、第１のアパーチャ４０、ハウジングプレート７の第２のチムニー３４およびリング８１の突起８５を通過しながら、そしてハウジングプレート７の第２のチムニー３４とは直接反対側に位置設定されたカバー５の第１のチムニー３１およびリング８１の突起８５の中に挿入されることによって、カバー５にハウジングプレート７を機械的に連結することを可能にする第１の締結ねじ６７も含んでいる。
【００９９】
したがって、ハウジング４は、ハウジングプレート７とカバー５の間に間置され、同時にこれらの間で回転できる。
【０１００】
留め具ケーシング２のメカニズムは、カウンタプレート８の第２のアパーチャ４４を通過しながら、ハウジングプレート７の第３のチムニー３８内に挿入されることにより、カウンタプレート８をハウジングプレート７に対し機械的に連結できるようにする第２の締結ねじ６８を含む。
【０１０１】
同様に、アセンブリボタン３のフランジ１２をそのフィンガ１１に対して機械的に連結するために、第３の締結ねじ６９も具備される。
【０１０２】
ここで開閉装置１の動作およびこの開閉装置が含む部品の協働について、図１０、１０Ａ、１０Ｂ〜１３、１３Ａ、１３Ｂを参照しながら説明する。
【０１０３】
図１０、１０Ａおよび１０Ｂは、メカニズムがその係止構成にある場合の開閉装置１を示している。
【０１０４】
メカニズムのこの係止構成において、ハウジング４はその安定した第１の位置にあり、アセンブリボタン３は留め具ケーシング２内に挿入され、ブレード６０はアセンブリボタン３のフィンガ１１を少なくとも並進運動に対して不動化している。
【０１０５】
詳細には、第１の復帰部材６４は作用を受けておらず、この復帰部材の取付け点６６はそれぞれハウジング４の第１の取付けステム２４およびハウジングプレート７の第２の取付けステム３６に機械的に連結されており、この第２の取付けステム３６は、ハウジング４の相補的窓部２０内に挿入されている。
【０１０６】
ハウジング４の安定した第１の位置において、第２の取付けステム３６は窓部２０の第１の端部に位置設定されている。
【０１０７】
第２の復帰部材６５は、カバー５とラッチ４５の外側面４９との間で圧縮され、ラッチ４５は、その外側面４９とは反対側の面である内側面５０によって、ハウジング４の突出部２５上に載っている。
【０１０８】
ラッチ４５はさらに、ラッチ４５の刻み目４６の中に位置設定されているカバー５の第１のチムニー３１によって、回転的に不動化されている。
【０１０９】
ブレード６０は、ブレード６０の第３のアパーチャ６１内に挿入されているハウジングプレート７の第２のチムニー３４によりハウジングプレート７上を旋回するように組付けられる。
【０１１０】
ハウジング４の駆動ピン２７は、ブレード６０の切欠き６２内に収容され、切欠き６２の第１の端部に位置設定され、こうしてブレード６０は、互いに最も接近している構成となる。
【０１１１】
こうして、ブレード６０はフィンガ１１の溝１４の中に少なくとも部分的に収納され、ブレード６０の輪郭の区分６３はこうしてハウジング４内にアセンブリボタン３を係止する。
【０１１２】
図１１、１１Ａおよび１１Ｂは、メカニズムがその係止構成からその係止解除構成まで移行する場合の開閉装置１を示す。
【０１１３】
ハウジング４は、その安定した第１の位置からその第２の位置まで回転駆動される。
【０１１４】
第１の復帰部材６４は、ハウジング４の固定状態にとどまる第２の取付けステム３６との関係における第１の取付けステム２４の移動によって張力下に置かれる。
【０１１５】
ハウジング４の相補的窓部２０は、第２の取付けステム３６がこの相補的窓部２０の実質的に中心に位置設定されるように、再び移動させられる。
【０１１６】
ハウジング４の突出部２５も同様に、ラッチ４５との関係において移動させられる。
【０１１７】
これらの突出部２５は、ラッチ４５内に形成された陥凹４７に近接するまで、ラッチ４５の内側面５０に接して滑動する。
【０１１８】
ラッチ４５は、このとき、弛緩する第２の復帰部材６５の作用によって、留め具ケーシング２の内部を並進運動する。
【０１１９】
さらに、ハウジング４の移動は、その駆動ピン２７の移動を駆動し、これらの駆動ピンはそれ自体、ブレード６０の切欠き６２の内部を移動して、ブレード６０を互いに離れるように、旋回によって展延させる。
【０１２０】
ハウジング４の駆動ピン２７は、ブレード６０の切欠き６２の実質的に中心に位置設定され、ブレード６０はフィンガ１１の溝１４から撤退し、ブレード６０の輪郭の区分６３はアセンブリボタン３を係止解除する。
【０１２１】
ラッチ４５に対する第２の復帰部材６５の作用によって、ラッチ４５はアセンブリボタン３のフィンガ１１を留め具ケーシング２の外へと押出すことになる。
【０１２２】
図１２、１２Ａおよび１２Ｂは、メカニズムがその係止解除構成にありハウジング４が最大限に回された場合の開閉装置１を示す。
【０１２３】
メカニズムのこの係止解除構成においては、アセンブリボタン３の引出しの後でさえも、ハウジング４はその安定した第１の位置から離れるように移動することによっていつでもさらに回転し得る、ということが分かる。
【０１２４】
第１の復帰部材６４は、固定状態にとどまる第２の取付けステム３６との関係におけるハウジング４の第１の取付けステム２４の移動によって再び張力下に置かれる。
【０１２５】
ハウジング４の相補的窓部は、第２の取付けステム３６がこの相補的窓部の実質的に反対側の端部に位置設定されるように、再び移動させられる。
【０１２６】
ハウジング４の突出部２５も同様に、ラッチ４５との関係において移動させられる。
【０１２７】
これらの突出部２５は、ラッチ４５の陥凹４７に沿って移動し、刻み目４６に接近する。
【０１２８】
さらに、ハウジング４の移動は、その駆動ピン２７の移動をさらに駆動し、これらの駆動ピンはそれ自体、これらのブレード６０の反対側の端部に達するまでブレード６０の切欠き６２の内部を移動して、ブレード６０を互いに離れるように、旋回によってさらに展延させる。
【０１２９】
図１３、１３Ａおよび１３Ｂは、メカニズムがその係止解除構成からその係止構成へと移行する場合の開閉装置１を示す。
【０１３０】
ハウジング４は、第１の復帰部材６４によって、その安定した第１の位置に向かって部分的に復帰させられている。
【０１３１】
ハウジング４の第１の取付けステム２４は、固定状態にとどまる第２の取付けステム３６との関係において移動されており、ハウジング４の相補的窓部２０も同様に、第２の取付けステム３６が実質的にこの相補的窓部２０の相対する端部と中心との間に位置設定されるような形で移動させられている。
【０１３２】
ハウジング４の突出部２５も同様に、ラッチ４５の陥凹４７の縁部に当接するまで、ラッチ４５との関係において移動させられている。
【０１３３】
さらに、ハウジング４の復帰は、その駆動ピン２７の移動を駆動し、これらの駆動ピンはそれ自体、これらのブレードの反対側の端部と中心の間に位置設定されるまで、ブレード６０の切欠き６２内を移動する。ブレード６０は旋回し、互いに向かってわずかに移動する。
【０１３４】
したがって、ハウジングを不動化しその安定した第１の位置への復帰を防止することを可能にし、同様にブレード６０を不動化しブレードが過度に接近するのを防ぐことを可能にするのは、ラッチ４５の陥凹の縁部とハウジングの突出部２５の協働である。
【０１３５】
アセンブリボタン３のフィンガ１１は次に、留め具ケーシング２内に再度挿入される。
【０１３６】
フィンガ１１の自由端部１５は、ラッチ４５の内側面５０により担持され、この内側面を第２の復帰部材６５に対して押し、この第２の復帰部材は圧縮された状態となる。
【０１３７】
ラッチは次に、カバー５に向かって回転駆動される。こうして、ラッチ４５は、ハウジング４の突出部２５とラッチ４５の陥凹４７の間の協働が中断されるまで、ハウジング４から離れて移動する。
【０１３８】
この中断は、陥凹４７の場所に具備された肩部４８によって、２段階で行なわれ得る。
【０１３９】
こうして、アセンブリボタン３のフィンガ１１を留め具ケーシング２内に充分に再挿入するのを保証することが可能になる。
【０１４０】
ラッチ４５はこうしてハウジング４を解除し、このハウジングは第１の復帰部材６４の作用によりその安定した第１の位置へと復帰させられ、これによりブレード６０は、フィンガ１１の溝１４の中に入って留め具ケーシング２内にアセンブリボタン３を係止するのに充分なほどに互いに接近する。こうしてＦ１０、１０Ａおよび１０Ｂの構成に復帰する。
【０１４１】
開閉装置１は、ハウジング４を回転させることによって物品を簡単に開放でき、アセンブリボタン３はラッチ４５の作用によって留め具ケーシング２から自動的に解除され、こうしてメカニズムは係止解除構成になるという点において、極めて便利である。
【０１４２】
さらに、開閉装置１は、ハウジング４に作用する必要なく、留め具ケーシング２内にアセンブリボタン３を挿入することで物品を簡単に閉鎖できるようにするという点において、極めて便利である。
【０１４３】
実際、ハウジング４がその安定した第１の位置からその第２の位置へと回転駆動される場合のラッチ４５の並進運動は、アセンブリボタン３を容易に引出しおよび／または挿入できる第２の位置にハウジング４を維持することを可能にする。さらに、ハウジング４は、ブレード６０がアセンブリボタン３を解除する位置へとブレード６０を駆動することから、このアセンブリボタン３はこの位置にとどまり、容易に引出しおよび／または再挿入可能である。
【０１４４】
図１４〜２１Ｂは、上述の開閉装置の変形実施形態を例示する。類似の部品については同じ参照番号が使用されている。
【０１４５】
図１４〜２１Ｂに例示されている開閉装置は、基本的にアセンブリボタンのフィンガが異なる形態を有すること、このフィンガがハウジングによって直接保持されること、第２の取付けステムがハウジング内に組付けられた部品に由来すること、および第２の復帰部材が、ラッチとカバーの間でスリーブ部材の中にそれ自体挿入されたピンの上に組付けられていることという点において、図１〜１３Ｂで例示されたものと構造的に異なっている。
【０１４６】
詳細には、図１４および１５は、図１および図２と類似しており、物品が閉鎖され得る係止構成および物品が開放され得る係止解除構成を有するメカニズムが具備された留め具ケーシング２と、留め具ケーシング２と協働するように構成されたアセンブリボタン３とを含む開閉装置１を例示している。
【０１４７】
留め具ケーシング２のメカニズムは、メカニズムが係止構成にある安定した第１の位置（図１５）とメカニズムが係止解除構成にある第２の位置（図１４）の間で、留め具ケーシング２との関係において回転可能な形で組付けられたハウジング４を含む。ハウジング４は、留め具ケーシング２の第１の側６に位置設定されたメカニズムのカバー５と、第１の側６とは反対の側である留め具ケーシング２の第２の側９に位置設定されたメカニズムのハウジングプレート７との間に可動な形で組付けられ、このカバー５とハウジングプレート７の間に間置され、これらとの関係においてその安定した第１の位置とその第２の位置との間で回転することができる。留め具ケーシング２には、カウンタプレート８とハウジングプレート７の間に空間１０を残しながら、第２の側９上に位置設定されハウジングプレート７に対し機械的に連結されたカウンタプレート８が具備され得る。
【０１４８】
アセンブリボタン３は、フィンガ１１およびこのフィンガ１１に対して機械的に連結されたフランジ１２を含み、一方このフランジ１２とフィンガ１１の間に空間１３を残している。アセンブリボタン３には、フランジ１２から離れた反対側の場所で、フィンガ１１の自由端部１５の近くに形成された円形溝１４が具備されている。換言すると、フランジは、円形溝１４とは反対側の端部でフィンガ１１に対し機械的に連結されている。アセンブリボタン３はさらに、溝１４を超えて上記の自由端部１５の場所に具備された平担部８０、ならびにその自由端部１５の場所に開放した穴９１を有する。こうして、溝１４は、フランジ１２と平担部８０の間に位置設定される。
【０１４９】
ここで、図１６および１７を参照しながら、留め具ケーシング２およびアセンブリボタンについてさらに詳細に説明する。
【０１５０】
ハウジング４は、外側円筒壁１６のおよびこの外側円筒壁の内側に延在する主壁を有する。ハウジング４は、主壁１７内に具備された中央貫通開口部１８を含む。ハウジング４は、中央開口部１８の周りの主壁１７中に具備された複数の窓部１９を含む。ハウジングの中央開口部１８は、アセンブリボタン３のフィンガ１１の通過を可能にする。ハウジング４は、外側円筒壁１６の近くで、主壁１７の内側面２２から延在する第１の取付けステム２４を含む。ここでハウジング４は、ここでは主壁１７内に形成されている相補的保持部材と呼ばれる複数の保持部材を含む。説明されている実施例において、ハウジング４の相補的保持部材は、主壁１７の内側面２２から突出する突出部２５によって形成される。各突出部２５は、２つの連続する窓部１９の間に位置設定され、部分的に円形の内側壁２１に接合され得る。ハウジング４にはさらに、中央開口部１８内に突出する歯８２が具備されている。これらの歯８２は、ここでは互いに対面して配置されている。
【０１５１】
メカニズムは、間隙８３が備わった少なくとも部分的に円形である壁によって主として形成されているハウジング４内に収納されたリング８１を含み、この間隙の場所には第２の取付けステム８４ならびに組付け用突起８５が具備されている。リング８１は、ハウジング４の主壁１７の内側面２２に接して配置され、ここでは実質的に同心的に、かつ、ハウジング４の窓部１９の周りで外側円筒壁１６から一定の距離のところで延在する。
【０１５２】
カバー５は、リムを形成する側壁８６により連結された複数の第１のチムニー３１が突出している内側面３０を有する。カバー５の第１のチムニー３１はここでは、ねじ穴を有し、側壁８６に沿って規則的に分布していてよい。
【０１５３】
ハウジングプレート７は、ハウジング４の窓部１９内に収容されるように構成されている複数の第２のチムニー３４が突出している内側面３３を有する。ハウジングプレート７は、中央貫通開口部３５を有し、この周りに第２のチムニー３４が規則的に分布し得る。ハウジング７の中央開口部３５は、アセンブリボタン３のフィンガ１１の通過を可能にする。ハウジングプレート７の第２のチムニー３４は、ここでは、第１のアパーチャ４０の場所で、内側面３３とは反対側の面であるハウジングプレート７の外側面３７の上に開放したねじ穴を有する。ハウジングプレート７はさらに、少なくとも部分的に円形でハウジングプレート７の外側面３７から突出する低い壁３９を含む。低い壁３９は例えば、ここでは中央開口部３５の周りに延在する。ハウジングプレート７はさらに、外側面３７から突出し、例えば低い壁３９の周りに規則的に分布し得る第３のチムニー３８を含む。ハウジングプレート７の第３のチムニー３８は、ここで、内側面３３上に開放するねじ穴を有する。第１のアパーチャ４０は例えば、ここでは低い壁３９の周りで、第３のチムニー３８の間に規則的に分布していることが指摘される。
【０１５４】
カウンタプレート８は、ハウジングプレート７に対して機械的に連結されるように構成され、ハウジングプレート７とカウンタプレート８の間に空間１０を提供するべく低い壁３９に接して配置されるように具備された内側面４１を有する。カウンタプレート８は、内側面４１上およびカウンタプレート８の内側面４１とは反対側の面である外側面４３上の両方に開放する中央開口部４２を有する。カウンタプレート８の中央開口部４２は、アセンブリボタン３のフィンガ１１の通過を可能にする。カウンタプレート８は、カウンタプレート８の内側および外側面４１および４３の両方の上に開放する第２のアパーチャ４４を有している。カウンタプレート８のこれらの第２のアパーチャ４４は例えば、ここではこのカウンタプレート８の中央開口部４２の周りに規則的に分布している。
【０１５５】
メカニズムには、留め具ケーシング２内での並進運動に対して可動な形で組付けられ、ハウジング４と協働するように構成されたラッチ４５が具備される。ラッチ４５は、カバー５に対してラッチ４５を回転的に不動化する目的で、カバーの第１のチムニー３１を収容するように構成された刻み目が内部に具備されているプレートという全体的形状を有する。例えばここでは刻み目４６は、それぞれの第１のチムニー３１のそれぞれの区分を収容するため、実質的に丸い底部を有する。したがって、ラッチ４５はカバー５上に組付けられ、このカバー５に対し回転結合される。ラッチ４５には、ハウジング４がその第２の位置にある場合このハウジング４の突出部２５と協働するように構成されている、ここでは陥凹４７または穴によって形成される１つ以上の保持部材が具備されている。ラッチ４５にはさらに、漸進的な陥凹４７を形成する目的で、ラッチ４５を形成するプレートの中に形成された肩部４８が具備されている。詳細には、留め具ケーシング２のメカニズムはここでは、ハウジング４の突出部２５がラッチ４５のそれぞれの陥凹４７内の挿入されるように構成されている。こうして、ハウジング４をその安定した安定した第１の位置に漸進的に保持することが可能になる。ラッチ４５には、ここでは同様に中央開口部８７も具備されている。
【０１５６】
メカニズムにはさらに、例えば引張ばねによって形成される第１の復帰部材６４が具備されている。第１の復帰部材６４は実質的に半円形の形状を有し、この第１の復帰部材６４の第１および第２の相対する端部には取付け点６６が具備されている。第１の復帰部材６４はハウジング４内で円筒形外側壁１６とリング８１の壁の間に収容され、第１の復帰部材６４の取付け点の１つによってハウジング４の第１の取付けステム２４に対してと同時に第１の復帰部材６４の取付け点のうちのもう一方によってリング８１の第２の取付けステム８４に対して機械的に連結されている。
【０１５７】
メカニズムにはさらに、例えばここでは圧縮リングによって形成されている第２の復帰部材、カバー５の内側面３０に接して配置されたベースと上に第２の復帰部材６５が組付けられているステムとを有する支持ピン８８、および、スリーブ部材８９の一方の端部に外側カラー９０が具備され、支持ピン８８上に組付けられた第２の復帰部材６５を内部に挿入できる内部空間が備わったスリーブ部材８９、が具備されている。ラッチ４５は、カバー５の内側面３０に面するラッチ４５の外側面４９により担持されることになる外部フランジ９０を伴って、その中央開口部８７を通ってスリーブ部材８９上に滑動する形で組付けられるように構成されている。第２の復帰部材６５は、外側からの作用がない場合、ラッチ４５がハウジング４によって担持されるように構成されている。
【０１５８】
メカニズムは同様に、第１のアパーチャ４０およびハウジングプレート７の第２のチムニー３４を通過することによって、そしてハウジングプレート７の第２のチムニー３４とは直接反対側に位置設定されたカバー５の第１のチムニー３１の中に挿入されることによって、カバー５にハウジングプレート７を機械的に連結することを可能にする第１の締結ねじ６７も含んでいる。したがって、ハウジング４は、ハウジングプレート７とカバー５の間に間置され、同時にこれらの間で回転できる。メカニズムは同様に、カウンタプレート８の第２のアパーチャ４４を通過しながら、ハウジングプレート７の第３のチムニー３８内に挿入されることにより、カウンタプレート８をハウジングプレート７に対し機械的に連結できるようにする第２の締結ねじ６８を含む。同様に、アセンブリボタン３のフランジ１２をそのフィンガ１１に対して機械的に連結するために、第３の締結ねじ６９も具備される。
【０１５９】
ここで開閉装置１の変形形態の動作およびこの開閉装置の変形形態が含む部品の協働について、図１８、１８Ａ、１８Ｂ〜２０、２０Ａ、２０Ｂを参照しながら説明する。
【０１６０】
図１８、１８Ａおよび１８Ｂは、メカニズムがその係止構成にある場合の開閉装置１を示している。メカニズムのこの係止構成において、ハウジング４はその安定した第１の位置にあり、アセンブリボタン３は留め具ケーシングの中に挿入され、このときハウジング４の歯８２は、少なくとも部分的にフィンガ１１の溝１４の中に収容されており、フィンガ１１の平担部８０は、ハウジング４の歯８２に実質的に直交して配置されており、こうしてアセンブリボタン３はハウジング４の中に係止される。第１の復帰部材６４に対する作用は無く、この復帰部材の締結点６６は、それぞれハウジング４の第１の取付けステム２４およびリング８１の第２の取付けステム８４に機械的に連結されている。第２の復帰部材６５は、支持ピン８８のベースと、アセンブリボタン３のフィンガ１１内に具備された穴９１の中に部分的に挿入されているスリーブ部材８９の底部との間で圧縮されており、ラッチ４５は、その外側面４９とは反対側の面である内側面５０によって、ハウジング４の突出部２５の上に載っている。ラッチ４５はさらに、ラッチ４５の刻み目４６の中に位置設定されているカバー５の第１のチムニー３１によって、回転的に不動化されている。
【０１６１】
図１９、１９Ａおよび１９Ｂは、メカニズムがその係止構成からその係止解除構成まで移行する場合の開閉装置１を示す。ハウジング４は、その安定した第１の位置からその第２の位置まで回転駆動される。第１の復帰部材６４は、ハウジング４の固定状態にとどまる第２の取付けステム８４との関係における第１の取付けステム２４の移動によって張力下に置かれる。ハウジング４の突出部２５も同様に、ラッチ４５との関係において移動させられる。これらの突出部２５は、ラッチ４５内に形成された陥凹４７に近接するまで、ラッチ４５の内側面５０に接して滑動する。ラッチ４５は、このとき、弛緩する第２の復帰部材６５の作用によって、留め具ケーシング２の内部を並進運動する。詳細には、ラッチ４５は、スリーブ部材８９のカラー９０によって駆動される。さらに、ハウジング４の移動は、アセンブリボタン３のフィンガ１１の平担部８０との関係における歯８２の移動を駆動する。平担部８０はこのとき、実質的に歯８２と整列しており、アセンブリボタン３は解除され得る。ラッチ４５に対する第２の復帰部材６５の作用によって、ラッチ４５はアセンブリボタン３のフィンガ１１を留め具ケーシング２の外へと押出すことになる。
【０１６２】
図２０、２０Ａおよび２０Ｂは、メカニズムがその係止解除構成からその係止構成へと移行する場合の開閉装置１を示す。アセンブリボタン３のフィンガ１１は留め具ケーシング２内に再度挿入される。フィンガ１１の自由端部１５は、ラッチ４５の内側面５０によって担持され、このラッチを第２の復帰部材６５に対して押し、この第２の復帰部材はスリーブ部材８９の中に圧縮された状態となる。その後、ラッチ４５はカバー５に向かう並進移動で駆動される。ラッチ４５はこうして、ハウジング４の突出部２５がラッチ４５の陥凹４７から退出させられるまで、ハウジング４から離れるように移動する。したがって、この引出しによりハウジング４は解除され、ハウジング４は、ハウジング４の歯８２をアセンブリボタン３のフィンガ１１の平担部８０に実質的に直交する位置に戻す第１の復帰部材６４の作用によってその安定した第１の位置へと復帰させられて、留め具ケーシング２内にアセンブリボタン３を係止する。こうして図１９、１９Ａおよび１９Ｂの構成に復帰させられる。
【０１６３】
開閉装置１の変形形態は同様に、ハウジング４を回転させることによって物品を簡単に開放でき、アセンブリボタン３がラッチ４５の作用によって留め具ケーシング２から自動的に解除され、こうしてメカニズムは係止解除構成になるという点において、極めて便利である。さらに、開閉装置１の変形形態は、ハウジング４に作用する必要なく、留め具ケーシング２内にアセンブリボタン３を挿入することで物品を簡単に閉鎖できるようにするという点において、極めて便利である。実際、ハウジング４がその安定した第１の位置からその第２の位置へと回転駆動される場合のラッチ４５の並進運動は、アセンブリボタン３を容易に引出しおよび／または挿入できる第２の位置にハウジング４を維持することを可能にする。さらに、ハウジング４は、ハウジングに含まれる歯８２がアセンブリボタン３を解除する位置へこの歯８２を直接駆動することから、このアセンブリボタン３はこの位置にとどまり、容易に引出しおよび／または再挿入可能である。
【０１６４】
例示されていない変形形態が以下で提示される。
【０１６５】
保持部材および相補的保持部材の形態は、説明され例示された突出部および陥凹の形態と異なるものであってよい。
【０１６６】
ブレードおよび／または歯の形態は、説明され例示された形態と異なるものであってよい。
【０１６７】
第１および第２の復帰部材は、引張ばねおよび圧縮ばねと異なるものであってよい。
【０１６８】
装置が留め具ケーシングに締結されたカウンタプレートを有していないことも可能である。
【０１６９】
装置がアセンブリボタンに締結されたフランジを有していないことも可能である。
【０１７０】
より一般的には、本発明は、説明され例示された実施例に限定されないことが喚起される。
【符号の説明】
【０１７１】
１  開閉装置
２  留め具ケーシング
３  アセンブリボタン
４  ハウジング
５  カバー
７  ハウジングプレート
８  カウンタプレート
１１  フィンガ
１２  フランジ
１４  円形溝
１５  自由端部
１８  中央貫通開口部
１９  窓部
２０  相補的窓部
２１  内側壁
２４  第１の取付けステム
２５  相補的保持部材
２５  突出部
２７  駆動ピン
２８  外側面
３３  内側面
３４  チムニー
３６  第2の取付けステム
３９  低い壁
４５  ラッチ
４６  刻み目
４７  陥凹
６０  ブレード
６０  係止部材
６２  切り欠き
６４  復帰部材
６５  第２の復帰部材
６７  締結ネジ
８０  平担部
８１  リング
８２  歯
８８  支持ピン
８９  スリーブ部材
９０  外側カラー
【図１】
2020176509.tif 000003
【図２】
2020176509.tif 000004
【図３】
2020176509.tif 000005
【図４】
2020176509.tif 000006
【図５】
2020176509.tif 000007
【図６】
2020176509.tif 000008
【図７】
2020176509.tif 000009
【図８】
2020176509.tif 000010
【図９】
2020176509.tif 000011
【図１０】
2020176509.tif 000012
【図１０Ａ】
2020176509.tif 000013
【図１０Ｂ】
2020176509.tif 000014
【図１１】
2020176509.tif 000015
【図１１Ａ】
2020176509.tif 000016
【図１１Ｂ】
2020176509.tif 000017
【図１２】
2020176509.tif 000018
【図１２Ａ】
2020176509.tif 000019
【図１２Ｂ】
2020176509.tif 000020
【図１３】
2020176509.tif 000021
【図１３Ａ】
2020176509.tif 000022
【図１３Ｂ】
2020176509.tif 000023
【図１４】
2020176509.tif 000024
【図１５】
2020176509.tif 000025
【図１６】
2020176509.tif 000026
【図１７】
2020176509.tif 000027
【図１８】
2020176509.tif 000028
【図１８Ａ】
2020176509.tif 000029
【図１８Ｂ】
2020176509.tif 000030
【図１９】
2020176509.tif 000031
【図１９Ａ】
2020176509.tif 000032
【図１９Ｂ】
2020176509.tif 000033
【図２０】
2020176509.tif 000034
【図２０Ａ】
2020176509.tif 000035
【図２０Ｂ】
2020176509.tif 000036
【外国語明細書】
2020176509000001.pdf